(57)【要約】【課題】  装置を小型化すること。【解決手段】  Ｕ相の真空容器１０内の遮断器１８を操作ロッド２４、駆動ロッド７８を介して操作器２２に連結し、Ｖ相の真空容器１２内の遮断器１８を操作ロッド２４、駆動ロッド７８を介して操作器２２に連結し、Ｗ相の遮断器１８を操作ロッド２４、駆動ロッド７８を介して操作器２２に連結し、各操作器２２による投入操作時に、電磁石７４から発生する電磁力を駆動ロッド７８、操作ロッド２４に付与して各遮断器１８を投入し、各操作器２２の開放操作時には引き外しばね８０に蓄積された弾性力を駆動ロッド７８、操作ロッド２４に付与して各遮断器１８を開放するとともに、各相の操作器２２から発生する操作力をリンク機構２６を介して他の二相に伝達し、三相各相の操作器２２を一括して投入または開放操作する。【選択図】        図１
2005190919.tif 000002
【特許請求の範囲】
【請求項１】
真空容器内に収納された複数の開閉器と、前記各開閉器にそれぞれ操作ロッドを介して連結されて前記各操作ロッドに操作力を付与して前記各開閉器を開閉する複数の操作器とを備え、前記各操作器は、前記各開閉器の投入時に電磁力による操作力を前記操作ロッドに付与して前記各開閉器を投入し、前記各開閉器の開放時には前記電磁力とは逆方向の弾性力による操作力を前記操作ロッドに付与して前記各開閉器を開放してなり、前記各操作器は、関連を有する他の操作器とリンク機構を介して互いに連結されてなる真空スイッチギヤ。
【請求項２】
三相各相の負荷側導体または母線側導体を接続対象として真空容器内に収納された複数の開閉器と、前記各開閉器にそれぞれ操作ロッドを介して連結されて前記各操作ロッドに操作力を付与して前記各開閉器を開閉する複数の操作器とを備え、前記各操作器は、前記各開閉器の投入時に電磁力による操作力を前記操作ロッドに付与して前記各開閉器を投入し、前記各開閉器の開放時には前記電磁力とは逆方向の弾性力による操作力を前記操作ロッドに付与して前記各開閉器を開放してなり、前記各相の操作器は、関連を有する他の２相の操作器とリンク機構を介して互いに連結されてなる真空スイッチギヤ。
【請求項３】
接地の対象となる真空容器と、三相各相の負荷側導体または母線側導体を接続対象として前記真空容器内に収納された複数の開閉器と、前記各開閉器にそれぞれ操作ロッドを介して連結されて前記各操作ロッドに操作力を付与して前記各開閉器を開閉する複数の操作器とを備え、前記各操作器は、前記各開閉器の投入時に電磁力による操作力を前記操作ロッドに付与して前記各開閉器を投入し、前記各開閉器の開放時には前記電磁力とは逆方向の弾性力による操作力を前記操作ロッドに付与して前記各開閉器を開放してなり、前記各相の操作器は、関連を有する他の２相の操作器とリンク機構を介して互いに連結されてなる真空スイッチギヤ。
【請求項４】
請求項１に記載の真空スイッチギヤにおいて、前記複数の開閉器と前記複数の操作器は、関連を有するもの同士が上下に分かれて配置されているとともに、前記各操作ロッドの軸線に沿って同軸上に配置されてなることを特徴とする真空スイッチギヤ。
【請求項５】
請求項１に記載の真空スイッチギヤにおいて、前記複数の操作器は、前記複数の開閉器と相対向して前記真空容器の上方に配置され、かつ、前記各操作ロッドの軸線に沿って前記複数の開閉器と同軸上に配置されてなることを特徴とする真空スイッチギヤ。
【請求項６】
請求項１に記載の真空スイッチギヤにおいて、前記複数の開閉器は、三相各相の負荷側導体と母線側導体とを結ぶ各相の通電回路をそれぞれ開閉する制御用開閉器と、前記各相の制御用開閉器にそれぞれ接続されて前記各相の制御用開閉器を接地する接地用開閉器とを各相に複数台ずつ備えて構成され、前記各相の制御用開閉器と前記各相の接地用開閉器は相毎に同一平面上を基準にして千鳥配置されてなることを特徴とする真空スイッチギヤ。
【請求項７】
請求項１に記載の真空スイッチギヤにおいて、前記複数の開閉器は、前記各操作ロッドに連結された可動電極と、前記可動電極に相対向して配置されてケーブルヘッドに連結された固定電極とを備え、前記各開閉器のケーブルヘッドは、前記真空容器に固定されて前記真空容器の下方にその一部が突出されてなることを特徴とする真空スイッチギヤ。
【請求項８】
請求項１に記載の真空スイッチギヤにおいて、前記リンク機構は、前記操作ロッドと交差する方向に沿って往復動可能に配置された連結ロッドと、前記操作ロッドに連結された駆動ロッドと前記連結ロッドにそれぞれ回動可能に連結されたリンクとを備え、前記リンクは、前記駆動ロッドの軸方向に沿った鉛直方向の力を前記連結ロッドを往復動させるための水平方向の力に変換してなることを特徴とする真空スイッチギヤ。
【請求項９】
請求項１に記載の真空スイッチギヤにおいて、前記複数の操作器は、前記各操作ロッドと同軸となって往復動自在に配置されてその一端が前記各操作ロッドに連結された駆動ロッドと、前記駆動ロッドに固定された可動鉄心と、前記可動鉄心と相対向して前記可動鉄心よりも前記操作ロッド側に配置された固定鉄心と、前記可動鉄心と前記固定鉄心の周囲に配置されて投入指令または投入操作に応答して電磁力を発生し、この電磁力を前記可動鉄心と前記固定鉄心とを接触させるための操作力として前記駆動ロッドに付与し、開放指令または開放操作に応答して前記電磁力の発生を停止する電磁石と、前記駆動ロッドに連結されて前記電磁力の発生に伴う前記駆動ロッドの移動によって弾性力を蓄積し、前記電磁力の発生が停止したときには前記蓄積された弾性力を前記可動鉄心と前記固定鉄心とを互いに離間させる操作力として前記駆動ロッドに付与する引き外しばねとを備えてなることを特徴とする真空スイッチギヤ。
【請求項１０】
請求項１に記載の真空スイッチギヤにおいて、前記複数の操作器は、前記各操作ロッドと同軸となって往復動自在に配置されてその一端が前記各操作ロッドに連結された駆動ロッドと、前記駆動ロッドに固定された可動鉄心と、前記可動鉄心と相対向して前記可動鉄心よりも前記操作ロッド側に配置された固定鉄心と、前記可動鉄心と前記固定鉄心の周囲に配置されて投入指令または投入操作に応答して電磁力を発生し、この電磁力を前記可動鉄心と前記固定鉄心とを接触させるための操作力として前記駆動ロッドに付与し、開放指令または開放操作に応答して前記電磁力とは逆方向の電磁力を発生する電磁石と、前記駆動ロッドに連結されて前記可動鉄心と前記固定鉄心とを接触させるための操作力に伴う前記駆動ロッドの移動によって弾性力を蓄積し、前記電磁石から逆方向の電磁力が発生したときに前記蓄積された弾性力を前記可動鉄心と前記固定鉄心とを互いに離間させる操作力として前記駆動ロッドに付与する引き外しばねとを備えてなることを特徴とする真空スイッチギヤ。
【請求項１１】
請求項１に記載の真空スイッチギヤにおいて、前記複数の操作器は、前記各操作ロッドと同軸となって往復動自在に配置されてその一端が前記各操作ロッドに連結された駆動ロッドと、前記駆動ロッドに固定された可動鉄心と、前記可動鉄心と相対向して前記可動鉄心よりも前記操作ロッド側に配置された固定鉄心と、前記可動鉄心と前記固定鉄心の周囲に配置されて投入指令または投入操作に応答して電磁力を発生し、この電磁力を前記可動鉄心と前記固定鉄心とを接触させるための操作力として前記駆動ロッドに付与し、開放指令または開放操作に応答して前記電磁力の発生を停止する電磁石と、前記電磁石に隣接して前記駆動ロッドの周囲に配置されて前記投入指令または投入操作に応答して前記電磁石から発生する電磁力と同一方向の電磁力を発生し、この電磁力を前記可動鉄心と前記固定鉄心とを接触させるための操作力として前記駆動ロッドに付与する永久磁石と、前記駆動ロッドに連結されて前記電磁力の発生に伴う前記駆動ロッドの移動によって弾性力を蓄積し、前記電磁力の発生が停止したときには前記蓄積された弾性力を前記可動鉄心と前記固定鉄心とを互いに離間させる操作力として前記駆動ロッドに付与する引き外しばねとを備えてなることを特徴とする真空スイッチギヤ。
【請求項１２】
請求項１に記載の真空スイッチギヤにおいて、前記複数の操作器は、前記各操作ロッドと同軸となって往復動自在に配置されてその一端が前記各操作ロッドに連結された駆動ロッドと、前記駆動ロッドに固定された可動鉄心と、前記可動鉄心と相対向して前記可動鉄心よりも前記操作ロッド側に配置された固定鉄心と、前記可動鉄心と前記固定鉄心の周囲に配置されて投入指令または投入操作に応答して電磁力を発生し、この電磁力を前記可動鉄心と前記固定鉄心とを接触させるための操作力として前記駆動ロッドに付与し、開放指令または開放操作に応答して前記電磁力とは逆方向の電磁力を発生する電磁石と、前記電磁石に隣接して前記駆動ロッドの周囲に配置されて前記投入指令または投入操作に応答して前記電磁石から発生する電磁力と同一方向の電磁力を発生し、この電磁力を前記可動鉄心と前記固定鉄心とを接触させるための操作力として前記駆動ロッドに付与する永久磁石と、前記駆動ロッドに連結されて前記可動鉄心と前記固定鉄心とを接触させるための操作力に伴う前記駆動ロッドの移動によって弾性力を蓄積し、前記電磁石から逆方向の電磁力が発生したときに前記蓄積された弾性力を前記可動鉄心と前記固定鉄心とを互いに離間させる操作力として前記駆動ロッドに付与する引き外しばねとを備えてなることを特徴とする真空スイッチギヤ。
【発明の詳細な説明】
【技術分野】
【０００１】
本発明は、真空スイッチギヤに係り、特に、真空容器内に収納された複数の開閉器と、各開閉器を操作するための操作器とを備え、電力系統の受配電設備として用いるに好適な真空スイッチギヤに関する。
【背景技術】
【０００２】
電力系統のうち配電系統には受配電設備の一要素としてスイッチギヤが設けられている。従来、この種のスイッチギヤとしては、気中絶縁方式のものが多く採用されていたが、小型化を図るために、絶縁媒体として、ＳＦ６ガスを用いたガス絶縁方式のものが採用されるようになっている。ところが、絶縁媒体にＳＦ６ガスを用いると環境に悪影響を与える恐れがあるため、近年、絶縁媒体として、真空絶縁を用いた真空絶縁方式のものが提案されている。
【０００３】
真空絶縁方式のスイッチギヤとしては、例えば、真空容器内に、固定電極と可動電極とが相対向して配置された主回路開閉部が複数収納され、可動電極が母線側導体に接続され、固定電極が負荷側導体に接続され、各主回路開閉部がアークシールドで覆われ、各母線側導体が可撓性導体を介して接続されるように構成されたものがある（特許文献１参照)。この真空スイッチギヤによれば、真空絶縁方式を採用しているため、ガス絶縁方式よりも絶縁距離を短くすることができ、真空スイッチギヤをコンパクト化することができる。
【０００４】
【特許文献１】特開２０００−２６８６８５号公報（第３頁から第６頁、図１〜図３）
【発明の開示】
【発明が解決しようとする課題】
【０００５】
上記従来技術においては、各主回路開閉部がアークシールドで覆われているため、短絡事故時などにおいて、トリップ動作が実行されて、可動電極と固定電極とが離れたときに、各電極から金属蒸気が発生しても、金属蒸気をアークシールドによって遮蔽することができるようになっている。
【０００６】
しかし、装置を小型化するために、各主回路開閉部に連結される操作器の構造を簡素化したり、操作器と各主回路開閉部との位置関係に工夫を施したりすることについては十分に配慮されていない。
【０００７】
本発明の課題は、装置を小型化することにある。
【課題を解決するための手段】
【０００８】
前記課題を解決するために、本発明は、真空容器内の複数の開閉器と、各開閉器をそれぞれ操作するための複数の操作器とをそれぞれ操作ロッドを介して連結し、各開閉器の投入時に、各操作器から電磁力による操作力を操作ロッドに付与して各開閉器を投入し、各開閉器の開放時には、電磁力とは逆方向の弾性力による操作力を操作ロッドに付与して各開閉器を開放し、各操作器を、互いに関連を有する他の操作器とリンク機構を介して互いに連結するようにしたものである。
【０００９】
前記した手段によれば、各開閉器の投入時に、各操作器から電磁力による操作力を各操作ロッドに付与するようにしたため、各開閉器の投入時に、弾性力（ばね力）による操作力を各操作ロッドに付与するようにしたものよりも、操作器そのものを小型化することができ、また、互いに関連を有する複数の操作器をリンク機構を介して互いに連結するようにしているため、各開閉器の投入・開放動作のばらつきを抑制することができる。
【発明の効果】
【００１０】
本発明によれば、装置の小型化を図ることができる。
【発明を実施するための最良の形態】
【００１１】
以下、本発明の一実施形態を図面に基づいて説明する。図１は本発明に係る真空スイッチギヤの一実施形態を示す要部断面正面図、図２は図１に示す真空スイッチギヤの平面図、図３は、図１に示す真空スイッチギヤの要部断面側面図である。図１ないし図３において、三相用真空スイッチギヤは、配電系統における受配電設備の一要素として、ステンレス製のＵ相真空容器１０、Ｖ相真空容器１２、Ｗ相真空容器１４を備えており、各相の真空容器１０、１２、１４内には、開閉器として、接地用開閉器１６、遮断器（または負荷開閉器）１８が＃１回線〜＃３回線に対応してそれぞれ３台ずつ収納されている。各相の接地用開閉器１６、遮断器１８に対応して、各相の真空容器１０、１２、１４の上方には、接地用開閉器１６を開閉操作するための操作器２０と、遮断器１８を開閉操作するための操作器２２が３台ずつ配置されている。３相各相の操作器２０、２２は互い違いに配置され、相ごとに同一平面を基準にして千鳥配置されている。そして各相の操作器２０は操作ロッド２４を介して接地用開閉器１６に連結され、各相の操作器２２は操作ロッド２４を介して遮断器１８に連結されている。すなわち、各相の操作器２０、２２は、接地用開閉器１０、遮断器１８と相対向して真空容器１０、１２、１４の上方に配置され、且つ操作ロッド２４の軸線に沿って接地用開閉器１６、遮断器１８と同軸上に配置されている。
【００１２】
また、各相における＃１回線〜＃３回線の操作器２０、２２は回線ごとに互いに独立して動作できるように互いに分離して構成されている。これに対して、＃１回線における操作器２０、２２、＃２回線における操作器２０、２２、＃３回線における操作器２０、２２は、同一回線のものが三相一括して動作できるように、同一回線に属する各相の操作器が、互いに関連を有するもの同士でリンク機構２６を介して連結されている。例えば、＃１回線におけるＵ相の操作器２０、２２はそれぞれ他の二相（Ｖ相、Ｗ相）の操作器２０、２２とリンク機構２６を介して互いに連結されている。
【００１３】
一方、接地の対象となる各相の真空容器１０、１２、１４には各遮断器１８に対応してケーブルヘッド２８が配置されている。各ケーブルヘッド２８は、下部板材３０の貫通孔３２からその一部が真空容器１０、１２、１４の下部側から外部に突出された状態で下部板材３０に固定されている。ケーブルヘッド２８は、銅を用いて円柱状に形成された導体３４、導体３４の周囲を覆うセラミックス製の絶縁性ブッシング３６を備えて構成されており、導体３４の軸方向端部にはねじ部３８が形成されている。このねじ部３８には配電系統に接続されるケーブルが締結されるようになっており、導体３４の一端側がケーブルを介して三相各相の負荷側導体または母線側導体と接続されるようになっている。導体３４の他端側は遮断器１８に接続されているとともに、平板状の導体４０を介して接地用開閉器１６に接続されている。
【００１４】
＃１〜＃３回線の遮断器１８は、負荷側導体と母線側導体とを結ぶ各相の通電回路をそれぞれ開閉する制御用開閉器として、可動電極４２、固定電極４４を備えており、可動電極４２と固定電極４４は相対向して配置されている。可動電極４２はその上部側が操作ロッド２４に連結されているとともに、フレキシブル導体（可撓性導体）４６を介して導体４８に接続されている。導体４８は平板状に形成されているとともに、＃１〜＃３回線の遮断器１８に亘って配置されている。この導体４８には、各遮断器１８の軸心に対応した位置に貫通孔５０が形成されており、各貫通孔５０内に各操作ロッド２４が往復動（上下動）可能に挿入されている。また操作ロッド２４は、上部板材５２の貫通孔５４内に往復動（上下動）可能に挿入されている。この操作ロッド２４の上部側は筒状のベローズ５６、円盤状のベース５８で覆われており、ベローズ５６は上部板材５２の内壁面に固定され、ベローズ５８は上部板材５２の表面に固定されている。
【００１５】
各接地用開閉器１６は、各遮断器１８を接地するための開閉器として、可動電極６０、固定電極６２を備えており、可動電極６０と固定電極６２が相対向して配置されている。固定電極６２は導体４０に接続されており、導体４０の固定電極６２側は、セラミックス製の支持部材６４によって支持され、支持部材６４は下部板材３０に固定されている。可動電極６０は操作ロッド２４に接続されているとともに、フレキシブル導体（可撓性導体）６６を介して導体６８に接続されている。導体６８は、導体４８と同様に平板状に形成され、＃１〜＃３回線の開閉器１６に亘って配置され、その端部が接地端子７０に接続されている。すなわち、接地用開閉器１６は、可動電極６０、固定電極６２が互いに接触したときに、各遮断器１８を導体４０、接地用開閉器１６、フレキシブル導体６６、導体６８、接地端子７０を介して接地するように構成されている。なお、導体６８には、操作ロッド２４を往復動（上下動）可能に動作させるための貫通孔（図示せず）が形成されている。また、接地用開閉器１６に接続された操作ロッド２４の周囲もベローズ５６、ベース５８で覆われている。
【００１６】
一方、各相の操作器２０、２２は、図４に示すように、固定板７２に固定されており、固定板７２は配電盤（図示せず）に支持されている。各相の操作器２０、２２は、＃１〜＃３回線ごとに一列になって配置されており、各接地用開閉器１６、遮断器１８の投入時に電磁力による操作力を操作ロッド２４に付与するために、電磁石７４、永久磁石７６、駆動ロッド７８などを備えて構成されている。また、各操作器２０、２２は、各接地用開閉器１６、遮断器１８の開放時には電磁力とは逆方向の弾性力による操作力を操作ロッド２４に付与するために、引き外しばね８０を備えて構成されている。さらに、各操作器２０、２２は、三相一括による操作を可能とするために、＃１、＃２、＃３回線ごとに各相の駆動ロッド７８がリンク機構２６に連結されている。
【００１７】
電磁石７４は、駆動ロッド７８をその一要素として備えているとともに、可動鉄心（プランジャー）８２、固定鉄心８４、コイルボビン８６、コイル８８、円盤状の可動平板９０、９２、ほぼ円盤状に形成された鉄製の支持板９４、９６、９８、筒状に形成された鉄製のカバー１００、１０２、固定ロッド１０４などを備えて構成されており、固定ロッド１０４の下部側はボルト、ナットで固定板７２に固定されている。駆動ロッド７８は、ほぼ円柱状に形成されて、操作ロッド２４と同軸上に配置され、鉄製の支持板９４、９６、９８のほぼ中央部に形成された貫通孔または空間部内を往復動（上下動）可能に配置されている。駆動ロッド７８の外周には可動鉄心８２、可動平板９０、９２が固定されており、可動鉄心８２と相対向して、固定鉄心８４が配置されている。固定鉄心８４は円環状に形成されて鉄製の支持板９８の表面に固定されている。コイルボビン８６は円環状に形成されて、駆動ロッド７８、固定鉄心８４の周囲を囲むように配置され、その上部と下部がそれぞれ支持板９６、９８によって支持されている。このコイルボビン８６内には円環状のコイル８８が収納されている。このコイル８８に隣接して円環状の永久磁石７６が配置されており、永久磁石７６は支持板９６上に固定されている。
【００１８】
コイル８８は、投入指令または投入操作に応答して通電されるようになっており、コイル８８が通電されると、コイル８８の周囲には、可動鉄心８２→固定鉄心８４→支持板９８→カバー１０２→支持板９６→可動鉄心８２を結ぶ経路で磁界が形成され、この磁界により、可動鉄心８２の軸方向底部側端面には下向きの吸引力が働き、可動鉄心８２が駆動ロッド７８とともに固定鉄心８４側に移動し、可動鉄心８２が固定鉄心８４に吸着され、可動鉄心８２と固定鉄心８４とが互いに接触するようになっている。この場合、永久磁石７６によって形成される磁界の向きもコイル８８の励磁に伴って発生する磁界の向きと同じになるため、電磁石７４から発生する電磁力が高められた状態、すなわち吸引力が高められた状態で可動鉄心８２が固定鉄心８４側へ移動することになる。電磁石７４、永久磁石７６から発生する電磁力は、駆動ロッド７８を下方（操作ロッド２４側）に移動させるための操作力として駆動ロッド７８に付与されることになる。
【００１９】
駆動ロッド７８の下部側は連結ロッド１０６、１０８を介して操作ロッド２４の上部側に連結されている。このため、駆動ロッド７８が下方に移動することに伴って操作ロッド２４は下方に移動し、接地用開閉器１６または遮断器１８が投入操作されるようになっている。連結ロッド１０６は、連結ロッド１０８とともに、固定板７２に形成された貫通孔１１０内に往復動（上下動）可能に挿入されており、連結ロッド１０６の上部側には支持板１１２が固定されている。この支持板１１２と固定板７２との間には、引き外しばね８０が装着されており、この引き外しばね８０には、駆動ロッド７８が下方に移動することに伴って弾性力（ばね力）が蓄積されるように構成されている。
【００２０】
一方、引き外しばね８０は、開放指令または開放操作に応答してコイル８８が非通電状態（非励磁状態）になったときには、蓄積された弾性力（ばね力）を、駆動ロッド１８を上方に移動させるための操作力として、駆動ロッド１８と操作ロッド２４に付与するようになっている。この弾性力による操作力は、永久磁石７６の電磁力よりも大きく設定されており、引き外しばね８０に蓄積された弾性力が操作力として駆動ロッド７８、操作ロッド２４に付与されると、永久磁石７６の電磁力に抗して、駆動ロッド７８、操作ロッド２４が上方に移動し、接地用開閉器１６または遮断器１８が開放操作されるようになっている。
【００２１】
リンク機構２６は、駆動ロッド７８、操作ロッド２４の鉛直方向に沿った操作力を、駆動ロッド７８、操作ロッド２４と交差する方向、すなわち水平方向に沿った操作力に変換し、三相各相の操作器を一括して操作する機能を備えて構成されている。
【００２２】
具体的には、リンク機構２６は、リンク１１４、１１６、１１８、１２０、連結ロッド１２２、１２４が備えており、リンク１１４の一端はピン１２６を介してベース１２８に回動可能に連結されている。ベース１２８は支持板９４にボルト、ナットで固定されている。リンク１１４の他端側は、ピン１３０を介してリンク１１６の一端に回動可能に連結されている。
【００２３】
リンク１１６は、Ｗ相のリンクとして、ピン１３２を介してベース１３４に回動可能に連結されており、ベース１３４は支持板９４にボルト、ナットで固定されている。このリンク１１６は、ピン１３２を支点として回動可能に配置されており、このリンク１１６には、ピン１３０の中心とピン１３２の中心とを結ぶ直線上にピン１３６、１３８がピン１３２を間にして固定されている。またピン１３０の中心とピン１３８の中心とを結ぶ直線に対してほぼ直交する位置にピン１４０が固定されている。ピン１３６には駆動ロッド７８が回動可能に連結され、ピン１４０には連結ロッド１２２の一端側が回動可能に連結されている。ピン１３８の下方にはストッパ１４２が配置されており、このストッパ１４２は支持板９４に固定されている。ピン１３８は、Ｗ相の操作器２０、２２が開放操作されたときに、ストッパ１４２との接触により、リンク１１６の下方への回動を阻止するように構成されている。
【００２４】
連結ロッド１２２は、駆動ロッド７８と交差する方向、すなわち水平方向に沿って往復動可能に配置されており、連結ロッド１２２の軸方向端部はピン１４４を介してリンク１１８に回動可能に連結されている。リンク１１８は、Ｖ相のリンクとして、ピン１４６を介してベース１４８に回動可能に連結されており、ベース１４８は、支持板９４にボルト、ナットで固定されている。このリンク１１８は、ピン１４６を支点として回動可能に配置されており、ピン１４６の中心とピン１４４の中心とを結ぶ直線上にピン１５０が固定されており、ピン１４６の中心とピン１５０の中心とを結ぶ直線とほぼ直交する方向にピン１５２が固定されている。ピン１５２は駆動ロッド７８に回動自在に連結されており、ピン１５０は、連結ロッド１２４に回動可能に連結されている。連結ロッド１２４は、駆動ロッド７８、操作ロッド２４と交差する方向ですなわち水平方向に沿って往復動可能に配置されており、駆動ロッド２４の軸方向端部はリンク１２０のピン１５４に回動可能に連結されている。リンク１２０は、Ｕ相のリンクとして、ピン１５６を備えており、このピン１５６はベース１５８に回動可能に連結されている。ベース１５８は支持板９４にボルト、ナットで固定されている。このリンク１２０は、ピン１５６を支点として回動可能に配置されており、ピン１５６の中心と、ピン１５４の中心とを結ぶ直線とほぼ直交する方向にピン１６０が固定されている。ピン１６０は駆動ロッド７８の軸方向端部に回動可能に連結されている。
【００２５】
上記構成において、＃１回線における操作器２０または操作器２２に対して投入操作が指令され、電磁石７４のコイル８８が通電されると、可動鉄心８２が固定鉄心８４側に移動するとともに、駆動ロッド７８と操作ロッド７４が下方に移動し、このときの操作力がそれぞれリンク１１６、１１８、１２０に伝達され、各リンク１１６、１１８、１２０は、ピン１３２、１４６、１５６を支点として、図４に示すように、矢印Ｘ方向に回動し、各相の操作力が他の二相の操作器に伝達され、各相の接地用開閉器１６または遮断器１８が一括して投入される。すなわち、各相にずれが生じることなく、各相の接地用開閉器１６または遮断器１８は同時に投入動作することになる。
【００２６】
一方、＃１回線における操作器２０または操作器２２に対して開放操作が指令され、各相のコイル８８が非通電状態（非励磁状態）になると、可動鉄心８２が固定鉄心８４から離間し、駆動ロッド７８、操作ロッド２４が上方に移動する。これに伴って、各相のリンク１１６、１１８、１２０は、ピン１３２、１４６、１５６を支点として、図５に示すように、矢印Ｙ方向に回動し、各相の操作器から発生する操作力が他の二相の操作器に伝達され、各相の接地用開閉器１６または遮断器１８が一括して開放動作されることになる。
【００２７】
本実施形態によれば、各相の操作器２０、２２を投入操作するときには、電磁石７４、永久磁石７６から発生する電磁力を駆動ロッド７８、操作ロッド２４に付与し、各相の操作器２０、２２を開放操作するときには、引き外しばね８０に蓄積された弾性力を駆動ロッド７８、操作ロッド２４に付与するようにしたため、各操作器２０、２２を投入操作させるための操作力として、ばねによる弾性力のみを用いたものよりも、各操作器２０、２２を小型化することができる。
【００２８】
また各相の操作器２０、２２から発生する操作力を他の二相の操作器に伝達して三相一括して投入操作または開放操作を行うようにしたため、各相にずれが生じることなく、接地用開閉器１６または遮断器１８を同時に投入または開放させることができる。
【００２９】
さらに各相の操作器２０、２２を同一の部品で構成したため、部品の共有化を図ることができるとともに、組み付け作業を簡素化することができる。
【００３０】
また各相の操作器２０、２２と接地用開閉器１６、遮断器１８をそれぞれ同軸上に配置したため、各操作器２０、２２と真空容器１０、１２、１４との間隔を狭くすることができ、装置の小型化および据え付け面積を小さくすることができる。
【００３１】
また各相の操作器２０、２２を互いに千鳥配置するようにしたため、各操作器２０、２２の間隔を狭くすることができ、据付面積をより小さくすることが可能になる。
【００３２】
また各相の真空容器１０、１２、１４の上方に各相の操作器２０、２２を配置し、真空容器１０、１２、１４の下方からケーブルヘッド２８の一部を突出させるようにしたため、装置全体の高さ方向の寸法を小さくすることができる。
【００３３】
また前記実施形態においては、各相の接地用開閉器１６、遮断器１８をそれぞれ真空容器１０、１２、１４内に収納するものについて述べたが、各相の接地用開閉器１６、遮断器１８を単一の真空容器内に収納することも可能である。
【００３４】
また各操作器２０、２２において、電磁石７４の他に永久磁石７６を設けたものについて述べたが、電磁石７４から発生する電磁力によっては、永久磁石７６を省略することもできる。
【００３５】
また前記実施形態においては、操作器２０、２２を開放操作するに際して、電磁石７４のコイル８８を非通電状態（非励磁状態）にするものについて述べたが、操作器２０、２２を開放操作するに際して、コイル８８に対して、投入操作時とは異なる方向の電流を流し、電磁石７４から、投入操作時とは逆方向の電磁力を発生させ、この電磁力を駆動ロッド７８に付与することで、開放操作における操作力をより高めることができる。この場合、引き外しばねとしては、前記実施形態における引き外しばね８０よりも弾性力（ばね力）の小さいものを用いることが可能になる。
【００３６】
また前記実施形態においては、各相の遮断器１８の周囲に筒状のアークシールドを配置することで、各遮断器１８の開閉時に、各電極から金属蒸気が発生しても、金属蒸気をアークシールドによって遮蔽することができる。
【図面の簡単な説明】
【００３７】
【図１】本発明の一実施形態を示す真空スイッチギヤの要部断面正面図である。
【図２】図１に示す真空スイッチギヤの要部平面図である。
【図３】図１に示す真空スイッチギヤの要部側面断面図である。
【図４】開放位置にある操作器とリンク機構との関係を説明するための要部正面断面図である。
【図５】投入位置における操作器とリンク機構との関係を説明するための要部正面断面図である。
【符号の説明】
【００３８】
１０  Ｕ相真空容器
１２  Ｖ相真空容器
１４  Ｗ相真空容器
１６  接地用開閉器
１８  遮断器
２０、２２  操作器
２４  操作ロッド
２６  リンク機構
４２  可動電極
４４  固定電極
４６  フレキシブル導体
４８  導体
７４  電磁石
７６  永久磁石
７８  駆動ロッド
８０  引き外しばね
８２  可動鉄心
８４  固定鉄心
８８  コイル
１１４、１１６、１１８、１２０  リンク
１２２、１２４  連結ロッド
【図１】
2005190919.tif 000003
【図２】
2005190919.tif 000004
【図３】
2005190919.tif 000005
【図４】
2005190919.tif 000006
【図５】
2005190919.tif 000007